(57)【要約】【課題】装着に手間がかかない防犯装置を提供することを目的とする。【解決手段】振動を検知する可撓性を持つ圧電センサ２と、この圧電センサ２の信号を検出する検出部３と、この検出部３の出力により作動する報知手段としてのスピーカ４を有し、圧電センサ２はかばん５の肩掛けベルト６に内蔵させ、検出部３が圧電センサ２の信号を受けたときにスピーカ４が作動する構成としたので、装着し忘れることがなく確実に防犯機能を継続して検出することができる。また、かばん５の肩掛けベルト６に内蔵されているので、かばん５を置いたり持ち替えたりするときにも防犯装置を脱着する必要もなく使用者にとって利便性の高い防犯装置を提供することができる。【選択図】図１
2009116654.tif 000002
【特許請求の範囲】
【請求項１】
振動を検知する可撓性を持つ感圧手段と、前記感圧手段の信号を検出する検出部と、前記検出部の出力により作動する報知手段とを有し、前記感圧手段は携帯用品に内蔵し、前記検出部が前記感圧手段の信号を受けたときに前記報知手段が作動する構成とした防犯装置。
【請求項２】
可撓性を持つ感圧手段として可撓性を持つケーブル状の圧電センサを用い、前記圧電センサは、携帯用品の肩掛け部または持ち手部に装着する構成とした請求項１記載の防犯装置。
【請求項３】
第１の送受信部と第２の送受信部を有し、第１の送受信部は検出部の出力信号を受け、前記第２の送受信部に向けて信号を送信し、前記第２の送受信部は、前記第１の送受信部からの信号を受けたときに、前記第１の送受信部に向けて信号を送信する構成とし、前記第１の送受信部が前記第２の送受信部の信号を受けなかった場合に報知手段が動作する構成とした請求項１または２記載の防犯装置。
【請求項４】
第１の送受信部が第２の送受信部からの信号を受けると報知手段の動作を停止する構成とした請求項３記載の防犯装置。
【請求項５】
振動を検知する可撓性を持つ第２の感圧手段と、前記第２の感圧手段の信号を検出する第２の検出部を有し、第２の感圧手段は可撓性を持つケーブル状の圧電センサで、第２の検出部と第２の送受信部を収容する筐体に取り付ける提げ紐状部材に内蔵させた請求項３または４記載の防犯装置。
【請求項６】
第１の送受信部に接続される第１の送受信アンテナと、第２の送受信部に接続される第２の送受信アンテナのどちらか一方または双方に、可撓性を持つケーブル状の圧電センサを用いる構成とした請求項３〜５のいずれか１項記載の防犯装置。
【請求項７】
第１の感圧手段と第２の感圧手段の信号が異なる位相のとき、報知手段が作動する構成とした請求項５または６記載の防犯装置。
【請求項８】
第１の感圧手段と第２の感圧手段の信号が相似形ではないときに、報知手段が作動する構成とした請求項５または６記載の防犯装置。
【請求項９】
感圧手段は、内側電極と、前記内側電極に周設された感圧部材と、前記感圧部材に周設した外側電極とを備えてケーブル状に構成した請求項１，２，５，７，８いずれか１項記載の防犯装置。
【発明の詳細な説明】
【技術分野】
【０００１】
本発明は、振動などを検出することでひったくりなどを防止する防犯装置に関するものである。
【背景技術】
【０００２】
従来、この種の防犯装置には、紐状部材を備えた防犯装置をかばんや財布などの携帯用品に設置するものがある（例えば、特許文献１参照）。
【０００３】
図９はその具体的構成を示し、防犯装置１０１にはピン１０２が配置され、そのピン１０２には紐１０３が取り付けられている。
【０００４】
また、ピン１０２は防犯装置１内部でスイッチと連動しており、それが引き抜かれるとスイッチが入りスピーカ１０４によって警報音を発する構成となっている。
【０００５】
そして、防犯装置１０１をかばん１０５などの携帯用品に設置し、紐１０３の端部１０６を使用者の衣服のボタンなどにかけて使用する。
【０００６】
このとき、ひったくりなどによりかばん１０５が引っ張られると、紐１０３が引っ張られ、ピン１０２が抜けることによりスピーカ１０４より警報音を発し、防犯機能を発揮する。
【０００７】
また別の例で、振動センサを用いた防犯装置をかばんなどに取り付けるものがある(例えば、特許文献２参照)。
【０００８】
すなわち、図１０でその構成を述べれば、振動を検出するセンサとして圧電体などを用いる振動センサを防犯装置１０７の筐体内部に有しそれを、ワイヤ１０８などでかばん１０５などに固定する。
【０００９】
このときひったくりなどにより振動センサが大きな振動を検出すると、報知音を発するよう構成されている。
【特許文献１】特開平８−３３５２９５号公報
【特許文献２】特開平９−１０５６６６号公報
【発明の開示】
【発明が解決しようとする課題】
【００１０】
しかしながら、前記従来例にあって、前者の構成では、かばんを置くたびに、衣服のボタンに止めた紐の他端を毎回はずさなければピンが抜けて作動してしまい、かばんを持ち上げるたびに紐を衣服のボタン等に止めなおさなければ防犯装置として機能せず、使用者にとってわずらわしく利便性が高いとはいえないものであった。
【００１１】
また後者の構成では、かばんに固定し忘れると防犯装置として機能しないという課題があった。
【課題を解決するための手段】
【００１２】
前記従来の課題を解決するために、本発明の防犯装置は、振動を検知する可撓性を持つ感圧手段と、前記感圧手段の信号を検出する検出部と、この検出部の出力により作動する報知手段を有し、前記感圧手段は携帯用品に内蔵し、前期検出部が前期感圧手段の信号を
受けたときに前記報知手段が作動する構成とした。
【発明の効果】
【００１３】
本発明の防犯装置は、防犯装置をかばんに内蔵することで、装着し忘れることがなく確実にひったくりなどの異常を検出することができる。また、かばん自体に内蔵されているのでかばんを置いたり持ち替えたりするときにも防犯装置を脱着する必要もなく使用者にとって利便性の高い防犯装置を提供することができる。
【発明を実施するための最良の形態】
【００１４】
第１の発明は、振動を検知する可撓性を持つ感圧手段と、前記感圧手段の信号を検出する検出部と、この検出部の出力により作動する報知手段とを有し、前記感圧手段は携帯用品に内蔵し、前記検出部が前記感圧手段の信号を受けたときに前記報知手段が作動する構成としたので、防犯装置を携帯用品に内蔵することで、装着し忘れることがなく確実にひったくりなどを継続して検出することができる。また、携帯用品に内蔵されているのでかばんを置いたり持ち替えたりするときにも防犯装置を脱着する必要もなく使用者にとって利便性の高い防犯装置を提供することができる。
【００１５】
第２の発明は、特に第１の発明において、可撓性を持つ感圧手段として可撓性を持つケーブル状の圧電センサを用い、前記圧電センサは、携帯用品の肩掛け部または持ち手部に装着する構成としたので、肩掛け部や持ち手部は、携帯用品を引っ張られたときに強い力が加わる部分であるため高い感度で検出することができる。また、ケーブル状なので使用感やデザイン上も違和感なく内蔵可能である。
【００１６】
第３の発明は、特に第１または第２の発明において、第１の送受信部と第２の送受信部を有し、第１の送受信部は検出部の出力信号を受け、前記第２の送受信部に向けて信号を送信し、前記第２の送受信部は、前記第１の送受信部からの信号を受けたときに、前記第１の送受信部に向けて信号を送信する構成とし、前記第１の送受信部が前記第２の送受信部の信号を受けなかった場合に報知手段が動作する構成としたので、報知音にもひるまずに携帯用品をひったくってその場を離れていった場合、無線信号が届かなくなるため報知音が鳴り止むことはなく携帯用品の持ち去りを放棄せざるを得なくなる。
【００１７】
また、報知音がなり続けているので、使用者は携帯用品の所在を容易に見つけ、取り返すことができ、確実かつ利便性の高い防犯装置を提供することができる。
【００１８】
第４の発明は、特に第３の発明において、第１の送受信部が第２の送受信部からの信号を受けると報知手段の動作を停止する構成としたので、携帯用品を取り返した使用者自身が報知音で困惑することがなく、利便性の高い防犯装置を提供することができる。
【００１９】
第５の発明は、特に第３または第４の発明において、第２の感圧手段は可撓性を持つケーブル状の圧電センサで、第２の検出部と第２の送受信部を収容する筐体に取り付ける提げ紐状部材に前記第２の感圧手段を装着する構成としたので、提げ紐状部材を手首に通したり、首から提げたり、衣服のベルトに通したりでき、携帯性がよく防犯装置携帯部のおき忘れ等も起こりにくくすることができる。
【００２０】
第６の発明は、特に第３から第５のいずれか１つの発明において、第１の送受信部に接続される第１の送受信アンテナと、第２の送受信部に接続される第２の送受信アンテナのどちらか一方または双方に、可撓性を持つケーブル状の圧電センサを用いる構成としたので、アンテナは携帯用品の肩掛け部または持ち手部及び提げ紐に内蔵されることになるため、アンテナは常に携帯用品または防犯装置携帯部の外部に露出することになり、信号の送受信がより確実に行うことができる。
【００２１】
第７の発明は、特に第５または第６の発明において、第１の感圧手段と第２の感圧手段の信号が異なる位相のとき、報知手段が作動する構成としたので、携帯用品の使用者が携帯用品を持って走るなど比較的大きな振動を発生させたときも第１の感圧手段と第２の感圧手段は同じ位相で信号を発するため、ひったくりなどと明確に区別でき、誤動作なく確実にひったくりなどの異常を検出することができる。
【００２２】
第８の発明は、特に第５または第６の発明において、第１の感圧手段と第２の感圧手段の信号が相似形ではないときに、報知手段が作動する構成としたので、携帯用品の使用者が携帯用品を持って走るなど比較的大きな振動を発生させたときも第１の感圧手段と第２の感圧手段は相似形の波形信号を発するため、ひったくりなどと明確に区別でき、誤動作なく確実にひったくりなどの異常を検出することができる。
【００２３】
第９の発明は、特に第１，２，５，７，８のいずれか１つの発明において、感圧手段は、内側電極と、前記内側電極に周設された感圧部材と、前記感圧部材に周設した外側電極とを備えてケーブル状に構成したので、信号を伝達する内側電極に対し外部電極がシールドの役を果たし外来電磁波ノイズの影響を受けにくく、携帯電話などの通信機器等を近くで使用しても感圧手段にノイズが重畳することなく確実にひったくりなどの異常を検出できる防犯装置を提供することができる。
【００２４】
以下、本発明の実施の形態について、図面を参照しながら説明する。なお、この実施の形態によって本発明が限定されるものではない。
【００２５】
（実施の形態１）
図１において、防犯装置１は、可撓性を持つケーブル状の感圧手段である圧電センサ２と、この圧電センサ２の信号を検出する検出部３と、検出部３の信号を受けて警報音を発するスピーカ４から構成されている。
【００２６】
圧電センサ２は、携帯用品であるかばん５の肩掛け部である肩掛けベルト６に内蔵されている。
【００２７】
圧電センサ２の端部は検出部３に接続され、同検出部３にはスピーカ４接続されている。
【００２８】
検出部３、スピーカ４はかばん５の内部に装着されている。
【００２９】
ひったくりなどでかばん５が強い力で引っ張られると、肩掛けベルト６にも強い力が作用するため、その内部に装着されている圧電センサ２が力に応じた出力を発生し、この出力をかばん５の内部に装着されている検出部３が検出してスピーカ４から大音量の報知音を発することでひったくりを阻止する。
【００３０】
通常かばん５を持ち歩くときには肩掛けベルト６を肩にかけて持ち歩くため、かばん５のどの部分を引っ張られても肩掛けベルト６に強い力が作用するため、それに内蔵された圧電センサ２は確実にひったくりなどの異常を検出ができる。
【００３１】
以上のように構成された防犯装置１について、以下その動作、作用を図２に基づいて説明する。
【００３２】
図２は圧電センサ２の出力信号Ｖと検出部３の出力信号Ｊの経時変化を示すものである。まず、使用者がかばん５を持って歩行すると、歩行振動により圧電センサ２は信号を出
力する(領域Ａ)。
【００３３】
このとき、かばん５が強い力で引っ張られると肩にかかっている肩掛けベルト６にも大きな力が作用するため、大きな信号が出力される。
【００３４】
この信号を受けた検出部３は閾値Ｄｏを越えた時間ｔ１の時点で異常と判定して出力JをＨｉ状態にしてスピーカ４を作動させ報知音を鳴らす。
【００３５】
このときの閾値Ｄｏは、使用者の通常の歩行や走行などの振動は検出しないレベルに設定されているものとする。
【００３６】
次に、防犯装置１に用いる圧電センサ２の具体的な構成を図３で説明する。
【００３７】
圧電センサ２は内側電極として導体からなる中心電極７、感圧部材である圧電体層８、導体からなる外側電極９、弾性体からなる被覆層１０を備えている。
【００３８】
圧電体層８はポリフッ化ビニリデン等の樹脂系の高分子圧電体や、特定の樹脂基材中に圧電セラミックスの粉体を混合した複合圧電体を用いることができる。
【００３９】
そして外側電極９は中心電極７と圧電体層８を囲うように配置されており、したがって、圧電センサ２は同軸ケーブル状となるため、信号を伝達する中心電極７に対し外側電極９がシールドの役を果たし、外来電磁波ノイズの影響を受けにくいものとなる。
【００４０】
よって、携帯電話などの通信機器等を近くで使用しても圧電センサ２にノイズが重畳することの少ない信頼性の高い防犯装置１を提供することができる。
【００４１】
尚、中心電極と外側電極を持つケーブル状の感圧手段として同軸ケーブル状の圧電センサ２を例として示したが、本発明はこれに限られることは無く、中心導体が複数あるケーブル、中心導体が外側電極の中心から偏心しているケーブル、断面形状が円形ではないケーブルなどを用いても同様の効果がある。
【００４２】
以上の様な構成により、防犯装置１をかばん５に内蔵することで、装着し忘れることがなく確実にひったくり等を継続して検出することができる。
【００４３】
また、かばん５に装着されているので、そのかばん５を置いたり持ち替えたりするときにも防犯装置１を脱着する必要もなく使用者にとって利便性の高い防犯装置を提供することができる。
【００４４】
また、圧電センサ２は可撓性を持ち、柔軟なので、革や布製のかばんのような柔軟な素材にも容易にしかも、使用感やデザイン上の違和感もなく内蔵することができる。
【００４５】
また、報知手段としてスピーカ４のような音響や音声による報知だけではなくフラッシュなどのような光による報知手段を用いても、或いは併用してもよい。
【００４６】
また、圧電センサ２は、肩掛けベルト６に内蔵せずに、接着剤、粘着テープ、面ファスナーなどで装着固定してもよい。
【００４７】
さらに、携帯用品として肩掛けベルトを有するショルダーバック状のかばんを例にして説明してきたが、これに限られることはなくザックなど背負って使用するかばんの背負いベルトに圧電センサ２を内蔵してもよい。
【００４８】
（実施の形態２）
図４は防犯装置の実施の形態２を示し、実施の形態１との違いは、防犯装置１１がかばん５に取り付けられている防犯装置本体１１ａと、かばん５とは別に携帯する防犯装置携帯部１１ｂとに分け、その両者を無線で送受信するようにした点である。
【００４９】
また、かばん５には、肩掛けベルトの代わりに持ち手１２を設け、その内部に圧電センサ２を配置している。
【００５０】
その他、図１と同作用を行う構成部分には同一符号を付し、具体的な説明は実施の形態１のものを援用する。
【００５１】
ひったくりなどでかばん５が強い力で引っ張られると、持ち手１２にも強い力が作用するため、その内蔵されている圧電センサ２は力に応じた出力を発生する。
【００５２】
この出力をかばん５の内部に装着されている検出部３が検出してスピーカ４より大音量の報知音を発する。そして同時に第１の無線送受信部１３がアンテナ１４を介して信号を送信する。
【００５３】
送信された信号は、防犯装置携帯部１１ｂに備えられているアンテナ１５を介して第２の送受信部１６により受信される。
【００５４】
そして第２の送受信部１６が信号を受けると、また第２の送受信部１６がアンテナ１５を介して信号を送信する。この信号をまたアンテナ１４を介して第１の送受信部１３が信号を受ける構成としている。
【００５５】
そして、第１の送受信部１３が第２の送受信部１６からの信号を受けられなかったときに圧電センサ２の信号の大きさにかかわらずスピーカ４から大音量の報知音を継続して発する構成としている。
【００５６】
ひったくり犯が大音量の報知音にもひるまずにかばん５をひったくってその場を離れていった場合、無線信号が届かなくなるためひったくり犯がじっとしていて圧電センサ２の信号レベルが小さくなったとしても報知音が鳴り止むことはなくかばん５の持ち去りを放棄せざるを得なくなる。
【００５７】
また、報知音がなり続けているので、使用者はかばん５の所在を容易に見つけ、取り返すことができる。使用者がかばん５を取り返せば第１の送受信部１３は第２の送受信部２１６からの信号を受けることができるようになるため、スピーカ４からの報知音は停止し、使用者自身が報知音で困惑することはない。したがって、確実かつ利便性の高い防犯装置を提供することができる。
【００５８】
尚、無線による通信手段としては、電波を用いても赤外線のような光を用いてもかまわない。ただし、電波を用いることで、防犯装置本体１１ａと防犯装置携帯態部１１ｂの間に若干の障害物があっても送受信できるため、好ましい効果が得られる。
【００５９】
（実施の形態３）
図５は防犯装置の実施の形態３を示し、実施の形態２との違いは、防犯装置携帯部１１ｂに第２の圧電センサ１７を内蔵したストラップ１８と、圧電センサ１７の出力を受ける第２の検出部１９を有している点である。
【００６０】
その他、図４と同作用を行う構成部分には同一符号を付し、具体的な説明は実施の形態２のものを援用する。
【００６１】
防犯装置携帯部１１ｂは、第２の検出部１９を内蔵する筐体２０と、この筐体２０の外に露出したストラップ１８からなり、ストラップ１８を手首に通してかばん５とともに携帯する。
【００６２】
そして、第１の送受信部１３と第２の送受信部１６は常に信号を送受信しあい、お互いの波形を比較し、図６に示すように同じ位相の信号を検出している場合、つまり破線で示すように同じタイミングで信号が検出されている場合は、大きな信号を検出してもスピーカ４による報知はしない。
【００６３】
これは例えば、歩行中の信号(領域Ｂ)に対して走行中の信号(領域Ｃ)は、大きな信号を検出することになるが、双方の信号のタイミング(破線)は同じなのでひったくりなどの異常と判定せずに報知はしない。
【００６４】
一方、かばん５がひったくられそうな場合は、図７に示すように引っ張られているかばん５からの信号と位相がずれるため(領域Ｄ)、スピーカ４により報知音を発し、かばん５が持ち去られることを阻止する。
【００６５】
以上の様に、不必要なときに報知するような誤動作のなく、確実にひったくり等の異常を検出することができる防犯装置を提供することができる。
【００６６】
また、防犯装置携帯部１１ｂに圧電センサ１７を内蔵したストラップ１８を有しているので、携帯性がよく本実施の形態のようにストラップ１８を手首に通したり、首から提げたり、衣服のベルトに通したりしておけばよいので、防犯装置携帯部１１ｂの置き忘れ等も起こりにくい。
【００６７】
尚、筐体２０および検出部１９を小型軽量に構成して、腕時計のような形状にすれば、より携帯しやすくなる。その場合、腕時計状の筐体２０のバンド部分に圧電センサ１７を内蔵することになる。またブレスレットのような形態にしてもよい。
【００６８】
また、他の例としては、波形の位相ではなく形状を比較するようにしてもよい。
【００６９】
ここで、第１の送受信部１３と第２の送受信部１６は常に信号を送受信しあい、お互いの波形を比較し相似形の波形検出している場合は大きな信号を検出してもスピーカ４による報知はしない。
【００７０】
一方、かばん５がひったくられそうな場合は、引っ張られているかばん５からの信号と波形が相似形でなくなるため、スピーカ４により報知音を発し、かばん５が持ち去られることを阻止する。
【００７１】
以上の様に、不必要なときに報知するような誤動作のなく、確実にひったくり等の異常を検出することができる防犯装置を提供することができる。
【００７２】
(実施の形態５)
図８は実施の形態５を示し、実施の形態４との違いは、第１の送受信のアンテナとして第１の圧電センサ２を用い、第２の送受信のアンテナとして第２の圧電センサ１７を用いている点である。
【００７３】
その他、図５と同作用を行う構成部分には同一符号を付し、具体的な説明は実施の形態４のものを援用する。
【００７４】
ひったくりなどでかばん５が強い力で引っ張られると、スピーカ４が大音量の報知音を発する。そして同時に第１の無線送受信部１３が圧電センサ２の外側電極に信号を印加することでアンテナとして作用させ信号を送信する。
【００７５】
このとき送信された信号は、防犯装置携帯部１１ｂに備えられている第２の圧電センサ１７をアンテナとして作用させ信号を受信させる。
【００７６】
そして、第２の送受信部１６が信号を受けると、また第２の送受信部１６が圧電センサ１７をアンテナとして作用させ信号を送信する構成としている。
【００７７】
このとき、かばん５の圧電センサ２および防犯装置携帯部１１ｂの圧電センサ１７をアンテナとして作用させるときには、第１の検出部１３と第２の検出部１９の回路との信号の干渉を避けるため検出部の回路と送受信部の回路を電気的なスイッチによって切り替えるようにしている。
【００７８】
以上のような構成とすることにより、アンテナは常にかばん５および防犯装置携帯部１１ｂの外部に露出することになり、無線の送受信がより確実に行うことができる。
【００７９】
例えば、金属製のアタッシュケースなどに適用する場合、アタッシュケース外にアンテナを取り出して装着する必要があるが、本構成ならば容易にアンテナ部を外部に出し、確実に無線の送受信を行うことができる。
【００８０】
また、布のような非金属製のかばん５に、防犯装置１１ａを装着していたとしても、かばん５に収容する荷物が金属製品の場合、その金属製品の大きさや、防犯装置１１ａとの位置関係によっては互いに干渉し合う可能性があるが、本構成のように常にかばん５の外部に露出している持ち手部にアンテナを内蔵することでその干渉を極小さく抑えることができ、送受信状態を良好に保つことができる。
【００８１】
尚、実施の形態１から５では感圧手段としてケーブル状の圧電センサを用いたが、他の形態の圧電センサでもよく感圧手段として例えばＰＶＤＦ薄膜の両面を電極で挟んだフィルム状またはリボン状の圧電センサを用いても同様の効果が得られる。
【００８２】
また、感圧手段として圧電センサを用いた構成を挙げたが、感圧手段に、押圧変形に感応して透過光が変調する特性を持つ光ファイバを用いても同様の効果がある。
【産業上の利用可能性】
【００８３】
以上のように、本発明にかかる防犯装置は、ベルト状の部材に内蔵することでベルト状部材を引っ張る力の大小を検出できるので、ロープなどに内蔵して過荷重なども検出し、警報を出すシステムとしても適用できる。
【図面の簡単な説明】
【００８４】
【図１】本発明の実施の形態１における防犯装置の構成図
【図２】本発明の実施の形態１における防犯装置で、圧電センサの出力信号Ｖと検出部の出力信号Ｊの経時変化を示す特性図
【図３】本発明の実施の形態１における圧電センサの断面図
【図４】本発明の実施の形態２における防犯装置の構成図
【図５】本発明の実施の形態３における防犯装置の構成図
【図６】本発明の実施の形態３における防犯装置で、正常時の第１の圧電センサの出力信号Ｖ１と第２の圧電センサの出力信号Ｖ２の経時変化を示す特性図
【図７】本発明の実施の形態３における防犯装置で、異常時の正常時の第１の圧電センサの出力信号Ｖ１と第２の圧電センサの出力信号Ｖ２の経時変化を示す特性図
【図８】本発明の実施の形態４における防犯装置の構成図
【図９】従来の防犯装置の構成図
【図１０】従来の別の例の防犯装置の構成図
【符号の説明】
【００８５】
１  防犯装置
２  圧電センサ（感圧手段）
３  検出部
５  かばん(携帯用品)
６  肩掛けベルト(肩掛け部)
７  中心電極(内側電極)
８  圧電体層(感圧部材)
９  外側電極
１１ａ  防犯装置本体
１１ｂ  防犯装置携帯部
１２  持ち手
１３  送受信部（第１の送受信部）
１６  送受信部（第２の送受信部）
１７  圧電センサ（第２の感圧手段）
１６  ストラップ（提げ紐状部材）
１９  第２の検出部
２０  筐体
【図１】
2009116654.tif 000003
【図２】
2009116654.tif 000004
【図３】
2009116654.tif 000005
【図４】
2009116654.tif 000006
【図５】
2009116654.tif 000007
【図６】
2009116654.tif 000008
【図７】
2009116654.tif 000009
【図８】
2009116654.tif 000010
【図９】
2009116654.tif 000011
【図１０】
2009116654.tif 000012